Podtech/llm-jp-corpus-v4-ja_patent huggingface dataset:
(57)【要約】【課題】    美容整形でしか出来なかった、顔のたるみ改善を自宅で手軽にできる様にすると共に、髪留めの内側にパイル素材を取り付けたことで、さらに顔のたるみ改善力を増強させた。【解決手段】    髪留め付き布帯を左右の耳の上部毛髪に固定し、頭頂部方向に引き上げ、頭頂で髪留め付き布体を接着させる。髪留め内側にパイル素材を取り付けたことで、毛髪引き上げ力を増強させた。【選択図】    図１
2005111230.tif 000002
【特許請求の範囲】
【請求項１】
両耳の上部の毛髪を引き上げる事によって、美容整形をする事なく、安易に顔のたるみを改善するヘアーバンド。
【請求項２】
両耳の上部の毛髪を髪留めで固定し、引き上げる方式のため、髪留めの内側にパイル素材を取り付け、毛髪を確実に髪留めに固定できるようにした。
【発明の詳細な説明】
【技術分野】
【０００１】  本発明は、ヘアーバンドに髪留めを取り付け、固定した両側の布帯を引き上げて、顔のたるみを改善するようにしたものある。また、本発明は毛髪を固定し、引き上げる事を前提にしているので、髪留めにパイル素材を取り付け、確実に毛髪を固定できるようになっている。
【背景技術】
【０００２】  従来、顔のたるみを改善するには、整形手術をする手段しかなかった為、多大な費用と危険性がともなっていた。
【課題を解決するための手段】
【０００３】  本発明は、顔のたるみを多大な費用と危険性が伴う整形手術をする事なく、いつでもどこでも手軽に安易に顔のたるみを改善する事を目的にしたヘアーバンド。それを図面で説明すれば、髪留め１を図４の様に耳の上部の毛髪に取り付け、図２の３ａ，３ｂを図５の様に頭頂部方向に引き上げる。顔のたるみ具合を見ながら頭頂部で３ａ，３ｂを接着する。
【発明の効果】
【０００４】このようにすれば、耳の上部毛髪に固定した髪留め付きマジックテープ（登録商標）図２の３ａ，３ｂを引き上げる事によって、顔のたるみ、しわ、が改善される為、安易に見た目若返る事が可能になる。
また、確実に毛髪を引き上げなくてはならない為、髪留め内側にパイル素材を取り付け、確実に毛髪の固定を可能にした。
整形手術とは違い、費用も安価かつ安全で使用したい時にいつでもどこでも、使用でき安易に見た目若返る事が可能になる。
【図面の簡単な説明】
【０００５】
【図１】  本発明全体の斜視図。
【図２】  布帯が接着していない状態の斜視図。
【図３】  本発明実施の形態である断面図。
【図４】  本発明実施の形態である髪留め付き布帯を耳上部毛髪に装着させた状態の側面図。
【図５】  本発明実施の形態である髪留め付き布帯を耳上部毛髪に装着させた状態の正面図。
【図６】  本発明実施の形態である顔たるみ改善ヘアーバンドを頭頂部で接着。装着し顔たるみが改善された状態の正面図。
【符号の説明】
【０００６】１  髪留め
２  パイル素材
３  布帯    マジックテープ（登録商標）、布、プラスチックなど。
【図１】
2005111230.tif 000003
【図２】
2005111230.tif 000004
【図３】
2005111230.tif 000005
【図４】
2005111230.tif 000006
【図５】
2005111230.tif 000007
【図６】
2005111230.tif 000008
(57)【要約】【課題】本発明は、杖ステッキ取り付け四段切り替えステンレス三本スパイク足を杖ステッキに取り付けることによって、雪国特有の雪上、氷上を安全且つ安心して歩行使用することが出来ます。【解決手段】本発明は、杖ステッキ取り付け四段切り替えステンレス三本スパイク足を雪上、氷上、室内、夏用、四段切り替えがスプリングストップピン四段切り替え操作が誰でもワンタッチで出来る為、老人、体の不自由な方にでも安心して使用出来ます。【選択図】図１
2005111221.tif 000002
【特許請求の範囲】
【請求項１】
杖、ステッキの足部に黒アルマイトスパイク台本体に三本スパイクステンレス足を付け、杖ステッキ足部（パイプ）内部のスプリングストップピンにより、雪上、氷上、室内、夏用の四段切り替え使用ができる特長を有する器具である。
【発明の詳細な説明】
【技術分野】
【０００１】本発明は、黒アルマイト本体に三本のスパイク爪４５°（ステンレス製）を一体とし、雪国の寒冷地安全歩行の為の器具として発明に関するものである。
【背景技術】
【０００２】本発明は、歩行中雪上、氷上等における転倒防止を目的とし、三本のステンレススパイク先端４５°により、雪上、氷上の杖ステッキがストック代わりになる。杖ステッキ取り付け四段切り替えステンレス三本スパイク足に関するものである。【特許文献１】
【特許文献２】
【非特許文献１】
【非特許文献２】
【発明の開示】
【発明が解決しようとする課題】
【０００３】杖ステッキ取り付け四段切り替えステンレス三本スパイク足によって、老人、体の不自由な人の雪上、氷上の転倒防止。
【課題を解決するための手段】
【０００４】杖ステッキ取り付け四段切り替えステンレス三本スパイク足を杖ステッキの足部に取り付けることによって、滑り止め防止、安定した歩行の問題点を解決します。
【発明の効果】
【発明を実施するための最良の形態】
【０００５】杖ステッキ取り付け四段切り替えステンレス三本スパイク足を杖ステッキに取り付け雪上の上、氷上の上、室内の歩行、夏場の使用が三本のスパイク足（ステンレス製）の四段の切り替えにより、安心と安全の歩行を行うことができます。
【実施例】
【０００６】以下、添付図面に従って、一実施例を説明する。杖ステッキ取り付け四段切り替えステンレス三本スパイク足を示した本体背面と雪上使用時、氷上使用時、冬季室内使用時、夏季室内外使用時の地面とスパイク足の関係を示した詳細。
【産業上の利用可能性】
【０００７】杖ステッキ取り付け四段切り替えステンレス三本スパイク足の取り付け使用により、老人、体の不自由な人の安全上、この発明は雪国においては、欠かすことの出来ない器具である。
【図面の簡単な説明】
【０００８】
【図１】杖ステッキ取り付け四段切り替えステンレス３本スパイク足を示した本体背面図、詳細図である。
【符号の説明】
【０００９】２．黒アルマイトステンレス製四段スパイク足
３．ステンレス製スパイク３本スパイク（先端角度４５°）
４．スプリングストップピン
【図１】
2005111221.tif 000003
(57)【要約】【課題】  本発明は、陸上競技におけるフライイングの発生を防止し、競技を中断することなく競技者を発進させる装置に関する物である。【解決手段】  スターティングブロックに競技者の押した力に応じて退避および元の位置に復元する機構と電気式ロック機構を取り付けた。【選択図】  図１
2005111228.tif 000002
【特許請求の範囲】
【請求項１】
競技者の押した力に応じて後方に退避および元の位置に復元するスターティングブロック。
【請求項２】
電気的に任意の位置で固定できるスターティングブロック。
【発明の詳細な説明】
【発明の詳細な説明】
【技術分野】
【０００１】  本発明は、陸上競技におけるフライイングの発生を防止し、競技を中断することなく競技者を発進させる装置に関する物である。
【背景技術】
【０００２】  １人でもフライイングを検出した場合は、全員のスタートをやり直す。また連続してフライイングを行った競技者または２回目以降にフライイングを行った競技者は失格とするルールが一般的である。
【発明が解決しようとする課題】
【０００３】  したがってフライイングが発生することにより競技の進行が遅れたり他競技者の集中力が散ったりすることがあった。またフライイングの判定にともなう失格処分についても競技者と審判員または大会主催者側との闘争に発展することがあった。
【課題を解決するための手段】
【０００４】  本発明は、スターティングブロックに競技者の押した力に応じて退避および元の位置に復元する機構と電気式ロック機構を取り付けることにより上記の課題を解決したものである。
【発明を実施するための最良の形態】
【０００５】  スターティングブロック１は直に、または連結棒２を介して、退避・復元・電気式ロック機構３に接続されている。【０００６】  通常は図１のようにスターティングブロック１は競技者が足をかける前の位置を保持している。【０００７】  スタートの号令前に設定した以上の力で競技者がスターティングブロックを押した場合、退避・復元・電気式ロック機構３は押された力に応じて、図２のようにスターティングブロックを後方に退避させ発進を制止する。【０００８】  競技者が押す力を弱めた場合、退避・復元・電気式ロック機構３は競技者が弱めた力に応じて、スターティングブロックを最大で退避前と同じ位置まで戻す。【０００９】  スタートの号令と同時または設定時間経過後に退避・復元・電気式ロック機構３はスターティングブロックをその位置で固定する。それにより競技者はスターティングブロックを蹴る力のすべてを地面に伝えて発進することができる。
【発明の効果】
【００１０】  フライイング発生を検出するのではなく、フライイング動作自体を制止することにより、スムーズな競技の進行および競技者と審判員または大会主催者側とのトラブル発生低減を実現することができる。
【図面の簡単な説明】
【図１】  スターティングブロックが通常の位置にある状態である。
【図２】  スターティングブロックが後方に退避した状態である。
【符号の説明】
１  スターティングブロック
２  連結棒
３  退避・復元・電気式ロック機構
【図１】
2005111228.tif 000003
【図２】
2005111228.tif 000004
(57)【要約】【課題】この発明は、市販のトイレットペーパーホルダーに三角板を取りつけてペーパーの取り出し口を綺麗な三角形に折り込む作業を補助する装置である。又、三角形に折り込まない時は、ペーパー取り出し口が三角板で持ち上げられペーパーを取り出し易くするのを補助する装置である。【解決手段】三角板（１）に留め金（２）を設けトイレットペーパーホルダーに装着する。【選択図】図１
2005111229.tif 000002
【特許請求の範囲】
【発明の詳細な説明】
【技術分野】
【０００１】この発明はトイレットペーパーの先端を綺麗に見せるため三角に折る作業を簡単に、素早く、正確に、仕上げると共に三角に折らない場合は、ペーパーの先端を持ち上げペーパーを取だし易くする装置である。
【背景技術】
【０００２】従来トイレットペーパーの取り出し口を綺麗に見せる為に指でペーパーの先端を折り込んでいたが結構面倒な作業でもあり手間がかかる割には左右対称になりにくく不恰好になりやすかった。又、ペーパーの先端を折らないとペーパーがロールに付着しどこが取だし口かわからないことが往々にしてあった老人や目の不自由な人には不便であった。
【発明の開示】
【発明が解決しようとする課題】
【０００３】（イ）トイレットペーパーの取り出し口を三角に折る作業は面倒で綺麗に左右対称にならなかった。
（ロ）トイレットペーパーの取り出し口を三角に折らない時はどこが取だし口か分からない事があった。
（ハ）市販のトイレットペーパーホルダーに簡単に装着できるものがなかった。
【課題を解決するための手段】
【０００４】今その構成を説明すると三角形の薄い金属あるいはプラスッチックの板（１）の両端にトイレットペーパーホルダーに取りつける為の金具（２）をつける。
【発明の効果】
【０００５】トイレットペーパー取りだし口の三角形の折り目が三角板（１）により容易に短時間で形成できる。沢山トイレがあるホテルなどでは人件費の削減効果が望める。見た目にも折り目正しく綺麗に見せる効果もある。使用後そのままでも三角板（１）のため先端が持ちあがり次の利用者が取りだし口を迷わず探すことができる。老人や目の不自由な方々にもお役に立つ発明である。
【発明を実施するための最良の形態】
【０００６】次に本発明の実施形態を述べるとトイレットペーパーに取りつけた三角板（１）の上にペーパーをとうし三角板（１）に添ってペーパーを指で押さえながら三角板（１）の裏に折り込むことによって簡単に綺麗な三角形の折り目が形成されるとともに使用時三角形部分を引くと三角板（１）を滑ってトイレットペーパーを容易に引き出すことができる使用後前述の作業を繰り返すことにより常に綺麗で見かけの良い三角形の折り目を形成することができる。又、三角形部分を引き使用後そのまま使用し続けるとしてもペーパーの先端を三角板（１）が持ち上げ気味になり先端が常に取りだし易い状態になりペーパーの取り出し口を探す必要がなくなる。
【産業上の利用可能性】
【０００７】
【図面の簡単な説明】
【０００８】
【図１】  本発明の斜視図
【図２】  本発明の使用斜視図
【符号の説明】
【０００９】    （１）は三角板
（２）は金具
【図１】
2005111229.tif 000003
【図２】
2005111229.tif 000004
【図３】
2005111229.tif 000005
【手続補正書】
【提出日】平成16年1月8日(2004.1.8)
【手続補正２】
【補正対象書類名】特許請求の範囲
【補正対象項目名】全文
【補正方法】追加
【補正の内容】
【特許請求の範囲】
【請求項１】
二等辺三角形の板（１）の両端にトイレットペーパーホルダーに装着する為の金具（２）を設けたことを特徴とするトイレットペーパーホルダー補助具。
【請求項２】
前記二等辺三角形の板（１）の先端に若干のアールを入れた請求項１記載のトイレットペーパーホルダー補助具。
【請求項３】
前記二等辺三角形の板（１）をトイレットペーパーの円周に沿って全体に若干のアールを入れた請求項１記載のトイレットペーパーホルダー補助具。
【手続補正３】
【補正対象書類名】明細書
【補正対象項目名】０００８
【補正方法】変更
【補正の内容】
【０００８】
【図１】    本発明の斜視図
【図２】    本発明の使用斜視図
【図３】    本発明の使用斜視図
(57)【要約】【課題】現在の傘は、布製、ビニール製、ナイロン製等の材質で作製しているが、雨傘、日傘の２種類を使い分けなければならない傘を、１つの傘で雨傘兼日傘として使用を可能にした上にあらゆるデザインのオフセットカラーの印刷が出来る水に濡れても破れない発水性のある合成紙（タイベック紙）を使用し作製した雨傘兼日傘である。【解決手段】水に濡れても破れない発水性のある合成紙（タイベック紙）を使用し、それにあらゆるデザインのオフセットカラー印刷をしてから、傘の型に抜き取り、それぞれを縫い合わせて、従来の傘の骨組みにセットをして傘を作製する。【選択図】図１
2005111225.tif 000002
【特許請求の範囲】
【請求項１】
水に濡れても破れない発水性のある合成紙（タイベック紙）にあらゆるデザインのオフセットカラー印刷をして傘に仕上げて雨傘兼日傘として使用出来る傘の作製商品である。
【発明の詳細な説明】
【発明の詳細な説明】
【技術分野】
【０００１】本発明は、現在の雨傘、日傘とは材質が異なる合成紙（タイベック紙）ではあるが、水に濡れても破れず従来の傘と比べても、強度性、防水性、安全性、においても優れている上に、あらゆるデザインのオフセットカラー印刷を可能にし、雨傘兼日傘として使用を可能にした従来の傘と差別化出来る商品である。
【背景技術】
【０００２】従来の傘は、雨傘と日傘を使い分けて使用しなければならないうえに、布製、ビニール製、ナインロン製の傘なので多色カラー印刷が困難であり、オリジナルの傘を作製するのはコストが高く成ってしまう。
【発明を実施するための最良の形態】
【０００３】本発明は、雨の日、晴れの日、どちらでも使用が可能な発水性のある合成紙（タイベック紙）の傘でありあらゆるデザインのオフセットカラー印刷を可能にした。それを図面について説明すれば水に濡れても破れない発水性のある合成紙（タイベック紙）に印刷をした３を従来の傘の骨組み１に取り付けた図面である。
【発明の効果】
【０００４】このようにすれば、従来の雨傘、日傘とは、材質は異なる合成紙（タイベック紙）ではあるが、あらゆるデザインのオフセットカラー印刷が可能なので、色々なデザインの傘の作製が出来る上に、雨傘兼日傘として使用が可能な商品です。
【図面の簡単な説明】
【図１】傘を横から見た図面である。
【図２】傘を上から見た図面である。
【図３】傘をたたんだ時の図面である。
【符号の説明】
１    傘の骨
２    傘の部分
３    印刷をする部分
【図１】
2005111225.tif 000003
【図２】
2005111225.tif 000004
【図３】
2005111225.tif 000005
(57)【要約】      （修正有）【課題】原料の最適部位に挿し回すことによって、球体を得ることのできる、例えば野菜、果物の食品を加工するバイトであり、操作性が良く、比較的硬い野菜、果物でも完璧な球体を得ることのできるバイトを提供する。【解決手段】取手１と主体２と半円碗型の刀４からなる。主体２は件３を介して半円碗型の刀４につながる。半円碗型の刀４両端の面と主体１は４５〜６０度の角度になっており、半円碗形の刀４の半円面上に立体の穴５を有し、穴の周辺に刃６を有する。半円碗形の刀４の周辺には刃７を有する。【選択図】図１
2005111271.tif 000002
【特許請求の範囲】
【請求項１】
このバイトは食品を加工するバイトに関連する、特に食品を加工することが回しボール取りバイトに関連する。このバイトは比較的に硬い野菜と果物の上でとても完璧な球体を得る
【発明の詳細な説明】
【技術分野】
【０００１】品を加工するバイトに関連する
【背景技術】
【０００２】食品の飲食業の中で、通常いくつか造型の製品を加工して、これらの造型の製品はバイトを通して加工してなるのだ。今ごろ、食品を加工することに用いて、例えば野菜、果物の造型のバイトは種類が非常に多くて、原料加工が球形のバイトになることにとって、現在このようなバイトは半円形碗の刀構造で、それは円形の製品だけを加工することができて、作る同時にその中部であんに埋めることができなくて、製品をこのようにさせるのは比較的に単一である。
【特許文献】調べた結果、関連文献が特にない。
【発明の開示】
【発明が解決しようとする課題】
【０００３】従来のバイトは半円形碗の刀構造で、半円形のてっぺんで穴がひとつある、この穴は操作の時成型する製品に気体を排放するために作った。この穴は排気穴とよばれる。取っ手の主体と半分円の碗型の刀は直線平行構造で、操作する時抵抗力はわりに大きい、作用する力は不合理である。また、半分円の碗型の刀は原料の最適部位に挿すことができないので、製作の球体はあまりに丸くない。【０００４】実用的な新型の目的は上述であることを克服して技術の欠陥があって、回してボールのバイトを提供して、このバイトは半分円の碗型の刀は原料の最適部位に挿す、操作便利、比較的に硬い野菜と果物の上でとても完璧な球体を得ることができる。
【課題を解決するための手段】
【０００５】当バイトは回してボールのバイトに関連する、含む取手の主体と半分円型の刀の碗、その中の主体は半円碗型の刀間とあって件につながると、半円碗型の刀は円柱形の機械部品など両端の面と主体は４５〜６０度の角度になって、半円碗形刀の半円面の上で立体形の孔があって、孔の周辺は削って作用の刃を切ることを持つのだ。この刃は球体の上で余分な部分は取り除いて、球体は更に丸く、外形は美しくなる
【発明の効果】
【０００６】このバイトは半分円の碗型の刀は原料の最適部位に挿す、比較的に硬い野菜と果物の上でとても完璧な球体を得る
【発明の実施するための最良の形態】
【０００７】以下、本発明の実施の形態を図１〜３に基づいて説明する。
【０００８】図１参照して、実用的な新型の技術の方案を下へ採択して実現に来た、実用的で新案の餡入りの機能付き回し取るボールのバイトが含む取手１と主体２と半円碗型の刀４、その中の主体２は半円碗型の刀の４間とあって件３につながる、半円碗型の刀４両端の面と主体の１は４５〜６０度の角度になって、半円碗形刀４の半円面の上で立体の穴５があって、穴の周辺は削って作用の刃６があり。この刃は球体の上で余分な部分は取り除くことができる。半円碗形刀４の周辺は刃７がある
【０００９】図２、３参照して、図においては、半円碗形刀４は、１つからまたいくつまでのいろいろ形の穴５があって、穴の周辺は削って作用の刃６があり。この刃は球体の上で余分な部分は取り除いて、球体は更に丸く、外形は美しくなる
【００１０】半円碗形刀を一定の硬度があるため、穴５の面積は半円碗形刀総面積の７５％を上回らない、６０％を上回らないのが最もよい。
【００１１】穴５付いて刃６の方向が半円碗形刀の周辺と切削する刃の方向をできるだけ一致する。
【図面の簡単な説明】
【００１２】
【図１】回してボールのバイトの説明図；
【図２】半円碗形刀と設置の穴の一例実施説明図；
【図３】半円碗形刀と設置の穴別の一例実施説明図。
【図１】
2005111271.tif 000003
【図２】
2005111271.tif 000004
【図３】
2005111271.tif 000005
(57)【要約】      （修正有）【課題】火災が起きない、起きてもすぐに消火出来る可燃物タンクを得る。【解決手段】本体タンク内に予め、液体炭酸ガス（ＣＯ２）を注入する方法によって空気を遮断しておく。【選択図】図１
2005111208.tif 000002
【特許請求の範囲】
【請求項１】
固定タンクに火災発生の前にタンク内にＣＯ２（液化炭酸ガス）を先に入れた装置。（移動式タンクも含む。）不燃ガス物質等も含む。
【発明の詳細な説明】
【発明の詳細な説明】
【０００１】今日のタンクは、一度火がつくと爆発するか燃え尽きるまで消すことが困難である。これを防ぐために発明されたものである〔発明の属する技術分野〕
【０００２】消火分野〔従来の技術〕
【０００３】泡消火器か水をかけるか粉末消火器か炭酸ガス消火器を使用して消火している。〔発明が解決しようとする課題〕
【０００４】ナフサ、ガソリンタンクに一度火がつくと消火が非常に困難である。ＲＤＦ（固形物燃料）で云うと、一度火がつくと消火が大変である。水をかけると爆発もあり得る。〔発明の実施形態〕
【０００５】タンク内に炭酸ガス（ＣＯ２）を引き入れる。〔実施例〕
【０００６】タンク▲１▼を設け▲７▼のボンベ小屋を建ててその中に液化炭酸ガスボンベを設ける。▲４▼の排管でタンクの上部横からタンク内に炭酸ガスを入れた後，ナフサ又はガソリン類等を入れる。〔発明の効果〕
【０００７】タンク内に物を入れた後、タンク内に炭酸ガス（ＣＯ２）を入れる。空気は体積２２．４ｌに対して２９ｇである。炭酸ガスは体積２２．４ｌに対して４４ｇなので空気よりはるかに重いことがわかった。火がついてしまってから消火するよりもあらかじめ炭酸ガスを入れておいた方が火災を防ぐ効果が大きい。
【０００８】ガソリンを入れた後炭酸ガスを入れて火をつけてみても火がつかないことがわかった。燃焼するどころか火種が消えてしまう。ＲＤＦの場合は、上部から炭酸ガスを注入すればガスは下におりていくので火が消える。下の口を密閉して、下からも炭酸ガスを注入して時間が経過すれば自然に消火できる仕組みである。
【０００９】ナフサ、ガソリン、他の油の場合でも炭酸ガスは品質に影響を与えないという利点がある。明細書
【図面の簡単な説明】
【図１】断面図
【図２】平面図
【符号の説明】
▲１▼タンク▲２▼フタ（部材）▲３▼化炭酸ガスボンベ▲４▼排管▲５▼安全弁▲６▼基礎▲７▼ボンベ小屋▲８▼空気口（自動開口自動開閉装置）▲９▼バルブ弁▲１０▼給入口▲１１▼給出口▲１２▼人傘
【図１】
2005111208.tif 000003
【図２】
2005111208.tif 000004
(57)【要約】【課題】  カーテンの開閉に関して、容易にロック、開錠を可能とするポール式カーテンレールのロック構造を提供する。【解決手段】  ポール（７）とストッパー（１）の間に、中心点より芯をずらして軸支されたローラー（３）を設け、このローラー（３）を回転させたときのローラー（３）側面の最高位置が、前記ポール（７）よりも少なくとも同じ高さになるように軸支され、ローラー（３）には、手が届かない高さからでも回転させることができる回転手段を設けたことを特徴とする。【選択図】  図１
2005111206.tif 000002
【特許請求の範囲】
【請求項１】
ポール（７）の先端にストッパー（１）を設け、ポール（７）とストッパー（１）の間に、中心点より芯をずらして軸支されたローラー（３）を設け、このローラー（３）を回転させたときのローラー（３）側面の最高位置が、前記ポール（７）よりも少なくとも同じ高さになるように軸支され、ローラー（３）には、使用の際に手が届かない高さからでも回転させることができる回転手段を設けたことを特徴とするポール式カーテンレールのロック構造。
【発明の詳細な説明】
【発明の詳細な説明】
【技術分野】
【０００１】  この発明は、ポール式カーテンレールにおいてカーテンを閉めるだけでカーテンがロックされ、ローラーに巻き付いている手前のロープを引っ張ることで開錠され、カーテンを開けることが可能となるポール式カーテンレールのロック構造に関するものである。
【背景技術】
【０００２】  従来ポール式カーテンレールのカーテンを開閉するときには、カーテンを引っ張り、カーテンに接続されているリングがポールを滑ることによりカーテン自体が動きカーテンの開閉を可能としていた。
【発明が解決しようとする課題】
【０００３】イ、病院などで患者さんのベットについているカーテンは通常外部から見えないようにカーテンを閉めるところがクロスになっているが、着替えなどのときに来客がきて突然開けられる心配がある。
ロ、デパートなどで試着をする際に、子供のいたずらなどで試着中にカーテンをあけられることや試着中であることに気付かず他の人にカーテンを開けられる心配がある。
ハ、体育館など高所におけるカーテンのロック構造に関してはストッパーを取り付けるには電動式にするなど機械を頼らざるを得ないなど経済的にかなり高額なものになってしまった。
二、機械を使ったカーテンのロック構造に関しては、いったん故障すると通常のカーテンの開閉にも支障をきたしてしまうことがあった。
【課題を解決するための手段】
【０００４】  ポール（７）とストッパー（１）の間に、中心点より芯をずらして軸支されたローラー（３）を設け、このローラー（３）を回転させたときのローラー（３）側面の最高位置が、前記ポール（７）よりも少なくとも同じ高さになるように軸支され、ローラー（３）は手が届かない高さからでも回転させることができる回転手段を設けたことを特徴とするポール式カーテンレールのロック構造。
【発明を実施するための最良の形態】
【０００５】  以下、本発明の実施の形態を説明する。
（イ）ストッパー（１）の円周中心部に芯棒穴（１０）を開け、芯棒（２）を通す。
（ロ）ポール（７）の円周より小さい円周のローラー（３）にローラー（３）円周中心部より少し上部の所に芯棒穴（１０）を開け、そこにストッパー（１）の中心部に通した芯棒（２）を差し込む。このときローラー（３）は回転して上部に上がったときにポール（７）より水平、あるいは高い位置になるようにする。続いてポール（７）の円周中心部に芯棒穴（１０）を開け、芯棒（２）を差し込み接続する。
（ハ）ローラー（３）にロープ（４）を巻き付け、止め具（５）で固定する。
（ニ）ローラー（３）側面とポール（７）側面に、ローラー（３）が回転したとき、上部で位置を保てるように、またローラー（３）とポール（７）の平衡感覚を保てるようにローラー（３）側面に突部（１１）を取り付け、ポール（７）側面に係止具（６）を取り付ける。
本発明は、以上の構成よりなっている。
本発明を使用するときは、カーテン（９）を開閉するときに、次のようにしてカーテン（９）のロック開錠が行われる。
通常、ストッパー（１）とポール（７）の中間に位置するローラー（３）は段差が低い位置にあり、カーテン（９）を閉めることによってカーテン（９）についたリング（８）がその段差に落ちることによってロックが可能となる。また、開錠時にはローラー（３）に巻き付いている手前のロープ（４）を引っ張ることでローラー（３）が回転し、ローラー（３）の位置がポール（７）の位置に対して水平、あるいは高くなるようになった時点でローラー（３）円周側面に取り付けた突部（１１）とポール（７）円周側面に取り付けた係止具（６）がかみ合うことで、その位置を保つことが可能となり、カーテン（９）を開けることができる。
【発明の効果】
【０００６】  本発明を使用することによって、容易にカーテンのロック開錠が可能となることにより、病院や試着室、スポーツセンター、家庭の風呂場などでプライバシーを守ることができる。また体育館のような高所でのカーテンのロック開錠も容易に可能にする。
【図面の簡単な説明】
【図１】本発明の通常側面図
【図２】本発明のロック状態側面図
【図３】本発明の開錠状態側面図
【図４】ロック時のローラーとポール式カーテンレールの円周図
【図５】開錠時のローラーとポール式カーテンレールの円周図
【符号の説明】
１  ストッパー
２  芯棒
３  ローラー
４  ロープ
５  止め具
６  係止具
７  ポール
８  リング
９  カーテン
１０  芯棒穴
１１  突部
【図１】
2005111206.tif 000003
【図２】
2005111206.tif 000004
【図３】
2005111206.tif 000005
【図４】
2005111206.tif 000006
【図５】
2005111206.tif 000007
(57)【要約】【課題】解決しようとする問題点は靴ベラ使って踵の柔らかい靴を履くときにどうしても入り口の幅が狭まってしまうことと、長さがたりなく体を曲げないといけなく誰にでもつかえるわけではない点。【解決手段】本体の下部にハネを付けることによって靴の踵部分の収縮をふせぎ足を入りやすくし、体を曲げなくてよい長さにすること。【選択図】図１
2005111203.tif 000002
【特許請求の範囲】
【請求項１】
本体の下部に靴の踵部分に合うハネが付いて足を入れたときにハネが広がり足腰を曲げなくて使える長さになっており、靴ベラの上部に紐を引っ掛けられるフックが付いている靴ベラ。
【発明の詳細な説明】
【技術分野】
【０００１】  長く下部にハネが付いている靴ベラに関するものである。
【背景技術】
【０００２】  従来の靴ベラは、力を入れると曲がってしまうこと、長さが足りないがために腰をまげたり、無理な体勢を取らないといけないということがあった。履きやすいものとえるものではなかった。これでは、体の不自由な方、お年寄りの方など誰にでも分け隔てなく使うことができない、という欠点があった。
【発明が解決しようとする課題】
【０００３】従来の靴ベラだと靴を履くときに、どうしても入り口の幅が狭まってしまい足に入れづらく、足に力が入ってしまう。そうなると、体の不自由な人、お年寄りの方は靴を履くのが困難である。
【０００４】  解決しようとする問題点は靴ベラ使って踵の柔らかい靴を履くときにどうしても入り口の幅が狭まってしまう点。
【０００５】  靴ベラの長さが足りずに履くことが困難な人がいる点。
【課題を解決するための手段】
【０００６】  本体の下部に踵の形にあったハネを付け幅の収縮を防ぐ。
【０００７】  体を曲げなくてもよい長さにすること。
【発明の効果】
【０００８】  本発明の下部にハネの付いた靴ベラは、下部にハネが付いており、靴の入り口部分の幅の収縮を防ぎ、足を入れるにつれハネが広がり履きやすいという利点がある。
【０００９】  また、長いために体を曲げなくても使えるという利点もある。
【実施例】
【００１０】  本体を靴にはめ込み普通どおり靴の履き方でとい。
【図面の簡単な説明】
【００１１】
【図１】下部にハネのついた靴ベラの実施方法である。（実施例１）
【図２】下部にハネのついた靴ベラの実施方法である。
【図３】靴ベラの上部にフックを設けた場合の実施例である（実施例２）
【図４】靴ベラの上部にフックを設けた場合の後部から見た図である。
【符号の説明】
１  靴ベラ本体
２  ハネ
３  フック
【図１】
2005111203.tif 000003
【図２】
2005111203.tif 000004
【図３】
2005111203.tif 000005
【図４】
2005111203.tif 000006
(57)【要約】【課題】高齢者や障害者などが椅子から立ち上がる際の足腰等への負担を軽減することなど、椅子から立ち上がる動作の補助を行うことを課題とする。【解決手段】椅子の肘掛部分（１）に対して垂直に、もしくはそれに近い角度で手すり（２）を設けることによって、椅子から立ち上がる際にこの手すりを利用して立ち上がる際の足腰等への負担を軽減する、つまり椅子から立ち上がる際の補助の役目を果たす。また、肘掛部分を可動式にした場合（４）は、椅子の正面に来なくても座ることができ、椅子に座る時などの負担も軽減することができる。【選択図】図１
2005111204.tif 000002
【特許請求の範囲】
【請求項１】
本発明は椅子の肘掛部分に肘掛に対して垂直に、もしくはそれに近い角度で手すりを設けていることを特徴とする。手すりの角度についてはあらかじめ角度が決められているものや使用者の好みに応じて調節できるもの、段階を分けて手すりの角度を固定できるものなど、角度の調節に関する機能を含む。椅子の肘掛部分に関しては固定式のもの、可動式のもの、また肘掛部分が上下に動く高さ調節の機能をもつものなど、肘掛部分の調節に関する機能を含むものとする。肘掛部分を可動式にした場合、椅子に座る際に椅子の正面に立たなくても、例えば椅子の斜め前からでも椅子に座ることができるという特徴ももつ。
【発明の詳細な説明】
【技術分野】
【０００１】  本発明は、肘掛部分に手すりを内蔵した椅子に関するものである。
【背景技術】
【０００２】  椅子には従来、肘掛が設けられているものがあり、障害者や高齢者など足腰の不自由な方がこの肘掛を利用して椅子から立ち上がる動作を行っていたが、人が何かにつかまって椅子から立ち上がろうとするときは肘掛のように地面に対して水平に設けられているものでは、立ち上がる動作を行う際に使用者は腕に力を入れ難く、起立補助の役目を十分に果たしているとは言えない。【０００３】  そこで本発明では、肘掛部分に対して垂直、もしくはそれに近い角度になるように可動式の手すりを設けることで椅子から立ち上がる際にこの手すりにつかまって楽に立てるようにする。立ち上がる際につかまり立ちをする場合は縦に手すりが設けられていた方が使用者は腕に力が入り易くなるということからこの手すりを考案した。【０００４】  従来、車椅子乗降用手摺りとしての技術があり、これは車椅子の介護者の介添えによって立ち上がり又は座り動作が可能である使用者が車椅子乗降用手摺りによって自力で立ち上がったり座ったりすることができるようにするということを目的としていた。
しかし、これはあくまでも車椅子用品であり介護用品として使用者を車椅子利用者に限定したものであった。【０００５】  本発明は健常者や障害者や高齢者など日常で誰もが利用しているような椅子に可動式の手すりが肘掛に対して垂直に設けられていることによって、椅子の使用者または介護者の負担を軽減し、誰もが使いやすい椅子となることで、誰もが使いやすい商品であるユニバーサルデザインの概念が実現することを目的としている。
【特許文献】特開２００２−２３８９５２号公報
【発明が解決しようとする課題】
【０００６】  本発明は足腰が弱い方が椅子に座っている状態から立ち上がることが困難であり、時に介護を必要とする点を解決するものである。
【課題を解決するための手段】
【０００７】  椅子の肘掛部分に可動式の手すりを設ける。手すりは使用時に肘掛部分に対して垂直になるように、もしくはそれに近い角度になるように固定される。このとき手すりを使用しない場合は、肘掛部分に折りたたんで内蔵することができる。
【発明の効果】
【０００８】  椅子の肘掛に垂直の手すりを設け、これにつかまって椅子から立ち上がることで、従来は椅子から立ち上がるときに介護を必要としていたり、または介護を必要とまではしなくとも椅子から立ち上がるのが困難である場合の使用者の負担を軽減することができる。
【実施例】
【０００９】  図１から図７は本発明の肘掛に対して垂直に手すりが設けられている椅子の手すりを使用する際の形状の実施例を表した図である。【００１０】  本発明は椅子の肘掛部分（１）に  可動式の手すり（２）を設け、手すりは非使用時には肘掛部分に内蔵（３）できるようにする。手すりの可動の構造は例えば、図６及び図７で表しているように、使用する際は（５）のストッパーを肘掛の内側の溝（６）に引っ掛けることによって手すりを固定し、使用せずに肘掛部分に内蔵する場合は図７のように溝に沿って５のストッパーをレール（７）に沿ってスライドさせる。使用者はこの手すり（２）につかまって腕の力を利用することによって立ち上がる際の足腰への負担を軽減することができ、また介護者の負担も軽減することができる。本発明の主体は椅子の肘掛に手すりを設けることにあるので、椅子自体の形状や機構についての説明は省略する。
【図面の簡単な説明】
【００１１】
【図１】肘掛に対して垂直に手すりが設けられている椅子の手すり使用時の図である。
【図２】椅子の手すりを肘掛部分に内蔵した時の図である。
【図３】肘掛部分が可動式の場合の図１と同様に椅子の手すり使用時の図である。
【図４】肘掛部分が可動式の場合の図２と同様に椅子の手すりを肘掛部分に内蔵した時の図である。
【図５】肘掛部分が可動式の場合の肘掛を起こした状態の図である。
【図６】肘掛部分に設けられている手すりの構造の１実施例の図である。
【図７】図６と同様に肘掛部分に設けられている手すりの構造の１実施例の図である。
【符号の説明】
【００１２】１  肘掛
２  手すり
３  手すりを肘掛部分に内蔵
４  肘掛が可動式
５  ストッパー
６  溝
７  レール
【図１】
2005111204.tif 000003
【図２】
2005111204.tif 000004
【図３】
2005111204.tif 000005
【図４】
2005111204.tif 000006
【図５】
2005111204.tif 000007
【図６】
2005111204.tif 000008
【図７】
2005111204.tif 000009
(57)【要約】【課題】微妙な高さ、角度を容易に調節できるドライヤーを提供する。【解決手段】ドライヤーを内蔵したボックス、あるいはボックス状のものに伸縮螺旋状蛇腹ホース、あるいはホース状のものを付け、高さ、あるいは角度を自在に調節できるようにする。【選択図】図２
2005111201.tif 000002
【特許請求の範囲】
【請求項１】
ドライヤーを内蔵したボックス、あるいはボックス状のものに伸縮螺旋状蛇腹ホース、あるいはホース状のものを付け、高さ、あるいは角度を自在に調節できるようにした伸縮螺旋状蛇腹ホース付きボックスに内蔵されたドライヤーを含む。
【発明の詳細な説明】
【技術分野】
【０００１】本発明は、伸縮螺旋状蛇腹ホース付きのボックスに内蔵されたドライヤーに関するものである。
【背景技術】
【０００２】ドライヤーの取手を三分割し、取手の根元に支点を設け、拡げられるようにして三脚を作り、三脚の中にそれぞれ伸長器を組み込み、引き出して高低を調節できるようにすることを特徴とするものがある。
【特許文献１】特開２００３−１１６６２５号公報
【発明が解決しようとする課題】
【０００３】三脚内臓の取手付きドライヤーでは、微妙な高さ、あるいは角度の調節をするのが容易ではない。
【課題を解決するための手段】
【０００４】ドライヤーを内蔵したボックス、あるいはボックス状のものに伸縮螺旋状蛇腹ホース、あるいはホース状のものを付け、高さ、あるいは角度を自在に調節できるようにする。
本発明は以上のような構成からなる、伸縮螺旋状蛇腹ホースを備えたドライヤーである。
【発明の効果】
【０００５】手に持たずに使用できるので、整髪や髪を乾かす際に両手を自由に使うことが可能である。
【０００６】伸縮螺旋状蛇腹ホースが付いているので、微妙な高さ、あるいは角度を自在に調節することが可能である。
【実施例】
【０００７】図１は、伸縮螺旋状蛇腹ホースが縮んでいる状態で、使用する場合は図２の様に伸縮螺旋状蛇腹ホースを伸ばす。【０００８】ちょうど良い高さ、角度に調節しスイッチを入れると、ドライヤーから風が送られ、伸縮螺旋状蛇腹ホースの中を通り伸縮螺旋状ホースに設置されたアタッチメントから出てくる。
尚、ドライヤー、伸縮螺旋状蛇腹ホースは公知の技術であるため説明を省略する。
【図面の簡単な説明】
【図１】伸縮螺旋状蛇腹ホースを縮めた状態の図である。
【図２】伸縮螺旋状蛇腹ホースを伸ばした状態の図である。
【図３】本発明を倒し、下の面を見せた状態の図である。
【図４】本発明の断面図である。
【符号の説明】
１ドライヤー
２伸縮螺旋状蛇腹ホース
３アタッチメント
４吸入口
５スイッチ
６電源コード
【図１】
2005111201.tif 000003
【図２】
2005111201.tif 000004
【図３】
2005111201.tif 000005
【図４】
2005111201.tif 000006
(57)【要約】【課題】  従来のドライヤーでは使用時に片手はドライヤーを持つため、もう一方の片手だけで髪の乾燥、整髪をする作業を行わなければならず、上半身の関節などに障害を持つ人はもちろん、健常者も思い通りに髪の乾燥、整髪することが容易ではなかった。  風向を自由に調節でき、手を使わずに使用でき、固定可能なドライヤーを提供する。【解決手段】固定方法はドライヤー本体側面に支脚を設ける。この支脚とドライヤー取手によってスタンド機能をもたせる。支脚は一定範囲内で回動することができ、机上での使用時に風向角度を調整できる。【選択図】図２
2005111202.tif 000002
【特許請求の範囲】
【請求項１】
ドヤイヤーの本体側面の両側に付く支脚とドライヤー取手によってスタンド機能を持つドライヤー。
ドライヤーの本体側面に付く支脚はドライヤー本体との接触点に支点を持ち、その支点を軸に一定範囲内を回動することで、スタンドとして利用する際ドライヤーの風向角度を自由に調節することができる。
【発明の詳細な説明】
【技術分野】  本発明はスタンド機能と角度調整機能を持ったドライヤーに関するものである。
【背景技術】
【０００１】  従来の単なる取手の付いたドライヤーや、ドライヤーを立てるための付属部品を準備し、その付属部品を用いて固定するスタンドタイプのドライヤー、取手部分が変形し三脚となるドライヤーがあった。
【発明が解決しようとする課題】
【０００２】  従来の取手の付いたドライヤーでは必ず使用時に片手がドライヤーを持つために塞がり、髪を乾かす、整髪する作業をもう一方の片手だけでしなければならないので思い通りに実施するのは容易ではなかった。
【０００３】  ドライヤーの取手を差し込むスタンドとなる付属部品でドライヤー本体を固定するものでは、ドライヤーの風向角度は最初に設定された付属部品の取手が差し込まれる角度の一段階でのみしか使用できず、自由に変更することができなかった。
【課題を解決する手段】
【０００４】  ドライヤー本体側面の両側につくドライヤー側面に支点を持ち、そこを軸に一定範囲内で回動する支脚とドライヤー取手でスタンド機能を構成する。
【０００５】  風向角度の角度調整は一定範囲内で回動する支脚を動かすことで可能である。
【発明の効果】
【０００６】  手にドライヤーを持たないでドライヤーを使用することができ、さらに風向角度を調節可能なので髪の乾燥、整髪が従来よりも容易にできるので、腕にかかる負担が軽減される。
【実施例】
【０００７】  図１、図２はドライヤー本体の形を犬の顔に見立て、支脚は犬の耳に見立てている。キャラクターの要素をドライヤーの外見に採用することで洗面台まわりのインテリアとしての効果がある。【０００８】  ほかにも、いろいろなキャラクターや、動物などと組み合わせて子供向け、女性向けのドライヤーとする。
【図面の簡単な説明】
【０００９】
【図１】側面図（支脚を立てない時）
【図２】側面図（スタンドとして利用した時）
【符号の説明】
【００１０】１．ドライヤー本体
２．ドライヤー取手
３．支脚
４．電源コード
【図１】
2005111202.tif 000003
【図２】
2005111202.tif 000004
(57)【要約】【課題】    長い期間での連続使用でも、積分誤差のリセットを定期的に行なわれるようにして微少誤差が積分されないようにする。【解決手段】カテナリ制御ゾーンの入側と出側に設置されている鉄鋼プロセスラインにおける溶接点検出器をカテナリの積分誤差リセット用として流用する。【選択図】    図１
2005111486.tif 000002
【特許請求の範囲】
【請求項１】
カテナリ制御を行う範囲の入側ロールと出側ロール間に入る帯状の物体の長さを入側ロール又は入側ロール駆動用電動機に取り付けられた帯状物体の通過長さ測定用ＰＬＧによって測定されるカテナリ制御を行う範囲への帯状物体送り込み長さと、出側ロール又は出側ロール駆動用電動機に取り付けられた帯状物体の通過長さ測定用ＰＬＧによって測定されるカテナリ制御を行う範囲からの帯状物体払い出し長さとの偏差を制御することにより、２個のロール間の帯状物体のカテナリ形状を一定に保つ制御装置において、
蓄積される長さ測定誤差を定期的にリセットすることにより、長時間連続的にこのカテナリ制御を使用できるようにすることを特徴とするカテナリ制御装置の板長さ管理方法。
【発明の詳細な説明】
【技術分野】
【０００１】
本発明は、帯状物体の連続処理ラインにおけるカテナリ制御に関するものである。
【背景技術】
【０００２】
従来の板送り込み／払い出し長さ管理方式カテナリ制御装置では、カテナリ制御を行う範囲の入側ロールと出側ロール間に入る帯状の物体の長さを入側ロール又は入側ロール駆動用電動機に取り付けられた帯状物体の通過長さ測定用ＰＬＧによって測定されるカテナリ制御を行う範囲への帯状物体送り込み長さと、出側ロール又は出側ロール駆動用電動機に取り付けられた帯状物体の通過長さ測定用ＰＬＧによって測定されるカテナリ制御を行う範囲からの帯状物体払い出し長さとの偏差を速度をスレーブ側ドライブに速度に反映する事でカテナリ制御ゾーンにおける板のカテナリ高さを制御している。図２は従来の板送り込み／払い出し長さ管理方式カテナリ制御装置の構成を示す（例えば特許文献１参照）。
従来の板送り量と板払い出し量をカウントして、その差分量を制御することによりブライドル間の帯状鋼板のカテナリー位置を一定に保つ制御装置では、入側と出側の両ブライドルに取り付けられたＰＬＧのみで実現でき、特別なセンサーは不要であり、ロードセルを使用した張力制御によるカテナリ制御や静電誘導方式カテナリセンサを使用してのカテナリ制御のバックアップ制御装置として幅広く使用されている。
【特許文献１】特許３２６０５７７号公報
【発明の開示】
【発明が解決しようとする課題】
【０００３】
従来の技術では，帯状物体の通過長さ測定用ＰＬＧによって測定されるロール部分を通過する帯状物体の量は、帯状物体とロールのスリップや、ＰＬＣでの演算で発生する桁落ちによって微少誤差を含んでいる。
従来の方法では、短時間の使用では問題ないが、長時間使用するうちにブライドルと鋼板との間に発生する微少なスリップやパルス１カウントあたりに送られる鋼板送り量が含む微少誤差が蓄積されて次第に大きくなり制御不能になる問題があった。これを防止するため一定時間毎の誤差のリセットが必要である。
このため、ロードセル、静電容量方式カテナリセンサ、レーザーセンサ、超音波センサー、フォトセンサーなどのセンサーを使用する、従来から使用されている主たるカテナリ制御器のバックアップとしてしか使用できなかった。
【課題を解決するための手段】
【０００４】
上記課題を解決するため、本発明は、カテナリ制御ゾーンの入側と出側に設置されている鉄鋼プロセスラインにおける溶接点検出器をカテナリ誤差リセット用として流用することにより、カテナリ制御用として新たなセンサーを追加することなく、従来の板送り込み／払い出し長さ管理方式カテナリ制御装置制御で問題になっていた測長誤差のリセットを定期的に行うことを特徴としている。
【発明の効果】
【０００５】
本発明によれば、板送り込み／払い出し長さ管理方式カテナリ制御装置を、主たるカテナリ制御のバックアップではなく、主たるカテナリ制御器として使用することが可能になるという効果があり、また、ロードセルやカテナリセンサー等の高額な機器が不要になるという効果がある。
【発明を実施するための最良の形態】
【０００６】
以下、本発明の実施の形態について図を参照して説明する。
【実施例１】
【０００７】
図１は本発明に係わる制御方法を実施する手順を示すブロック図であり手順に沿って上記装置の動作も含めて説明する。
(1)２では、サンプリング時間あたりの出側ロールから払い出される板の量と入側ロールから送り込まれる板の量との偏差をＰＩ制御補正分をスレーブ側ドライブ速度基準にかえしている。（従来の技術）
(2)図１における入側と出側ロール間で理想的なカテナリ曲線が形成される際の、  ８:入側溶接点検出点と９：出側溶接点検出間の板が入るべき長さは物理的に板の鋼種と単位長さの板重量によって決まる。（これをＬ０とする）
(3)実際に板上の溶接点が入側溶接点検出器と出側溶接点検出間を通過する間に入側ロールＰＬＧ（図１の５）で測長した板長さをＬｃとする。出側溶接点検出器を板上の溶接点が通過したタイミング（Ｌｃが確定したタイミング）にてブロック図２における、出側ブライドルの板送り量（Ｌｄ）Ｎと入側ブライドルの板送り量を（Ｌｅ）Ｎを０クリアする。このタイミングにて同時に、前サンプリング時間における入側と出側での板送り量の偏差（ＤＥＶ）N-1を実測値である  Ｌ0−Ｌcにプリセットする。
(4)プリセット完了タイミングから新たにサンプリング時間を再開して、出側ブライドルから払い出される板の量と入側ブライドルから送り込まれる板の量との偏差をＰＩ制御補正分をスレーブ側ドライブ速度基準にかえす制御に戻る。以後新たな板上の溶接点が入側溶接点検出点を通過するたびに(3)にて実施した、誤差のリセットを繰り返す。
【図面の簡単な説明】
【０００８】
【図１】本発明の構成を示すブロック図
【図２】従来技術（板送り込み／払い出し長さ管理方式カテナリ制御装置）による、実施例を示す制御ブロック図の制御要素に対して具体的にどのような補正を加えるかを示す図
【符号の説明】
【０００９】
１：入側ロール、２：出側ロール、３：帯状鋼板のカテナリ制御範囲、
４：入側ロール駆動用電動機、５：入側板送り量検出用ＰＬＧ、
６：出側ロール駆動用電動機、７：出側板送り量検出用ＰＬＧ、
８：入側溶接点検出器、９：出側溶接点検出器，
【図１】
2005111486.tif 000003
【図２】
2005111486.tif 000004